(57)【要約】      （修正有）【課題】通常のテレビに簡単な回路を付設するのみで放送レベル音量と、ＣＭレベル音量を平均化して、ＣＭ放送の際、急に音量が上がらないようにしたテレビを提供する。【解決手段】地上デジタルアンテナ及びＢＳ／１１０度ＣＲデジタルアンテナとデジタルボードと液晶ディスプレイとスピーカーと無線リモートコントロール器とからなり、デジタルボードは、映像／音声を分離するＤＥＭＵＸ回路とＭＰＥＧ−２デコードとメガピクセルグラフィックエンジンとデジタルフォーマットコンバータとを順次連結し、デジタルフォーマットコンバータからは液晶ディスプレイに映像信号を出力し且つスピーカーに音声信号を出力するテレビにおいて、デジタルフォーマットコンバータに、音声信号のレベル音量を検出し、通常の放送から、ＣＭに変った際のＣＭレベル音量が放送レベル音量を越えるとＣＭレベル音量を放送レベル音量に平均化する音量レベル平均化回路を付設した。【選択図】図１
0003229420.tif 000002
【実用新案登録請求の範囲】
【請求項１】
地上デジタルアンテナ及びＢＳ／１１０度ＣＲデジタルアンテナとデジタルボードと液晶ディスプレイとスピーカーと無線リモートコントロール器とからなり、前記デジタルボードは、映像／音声を分離するＤＥＭＵＸ回路とＭＰＥＧ−２デコードとメガピクセルグラフィックエンジンとデジタルフォーマットコンバータとを順次連結し、前記デジタルフォーマットコンバータからは液晶ディスプレイに映像信号を出力しスピーカーに音声信号を出力するテレビにおいて、
前記前記デジタルフォーマットコンバータに、音声信号のレベル音量を検出し、通常の放送レベル音量から、ＣＭレベル音量に変った際の当該ＣＭレベル音量が前記放送レベル音量を越えるとＣＭレベル音量を放送レベル音量に平均化する回路を付設したことを特徴とするテレビ。
【考案の詳細な説明】
【技術分野】
【０００１】本考案は、を平均化して、急に音量が上がらないようにしたテレビジョン（以下単にテレビと称する）に関するものである。
【背景技術】
【０００２】  テレビは、通常次記の回路構成であり機能として、受信中に放送レベル音量と、ＣＭレベル音量を調節する機能は無い。【０００３】  一般のテレビの回路構成は概略、地上デジタルアンテナ及びＢＳ／１１０度ＣＲデジタルアンテナとデジタルボードと液晶ディスプレイとスピーカーからなる。
デジタルボードは、地上デジタルアンテナ及びＢＳ／１１０度ＣＲデジタルアンテナからの信号を入力するフロントエンド回路と、フロントエンド回路からの信号を受けて映像／音声を分離して液晶ディスプレイに映像表示しスピーカーに音声を出すデジタルＴＶ用システムＬＳＩからなる。
該フロントエンド回路は、地上デジタルチューナＷＤＴ（Ｗｉｄｅ  Ｄｙｎａｍｉｃ  Ｒａｎｇｅ  Ｄｉｇｉｔａｌ  Ｔｕｎｅｒ）とその復調回路ＤＯＤＯＦＤＭ（Ｄｙｎａｍｉｃ  ａｄａｐｔｉｖｅ  ｗｉｎｄｏｗ  ＯＦＤＭ  Ｄｅｍｏｄｕｌａｔｏｒ）及びＢＳ／１１０度ＣＲデジタルチューナとその復調回路ＱＰＳＫ（Ｄｙｎａｍｉｃ  ａｄａｐｔｉｖｅ  ｗｉｎｄｏｗ  ＯＦＤＭ  Ｄｅｍｏｄｕｌａｔｏｒ）と
からなる。
該デジタルＴＶ用システムＬＳＩは、前記各復調回路からの信号を入力して映像／音声を分離するＤＥＭＵＸ（ＤＥｍｏｄｕｌａｔｅ  ａｎｄ  ＭＵｌｔｉｐｌｅＸ）回路とＭＰＥＧ−２デコードとメガピクセルグラフィックエンジンとデジタルフォーマットコンバータとを順次連結したものでありデジタルフォーマットコンバータからは液晶ディスプレイに映像信号を出力しスピーカーに音声信号を出力する。【０００４】  そこで前記例のテレビの回路では、例えばテレビのある番組を受信中にＣＭが入ると急に音量が増大して不便さを強く感じることが多い。
このためにリモートコントローラでＣＭが入る都度、放送レベル音量に変更操作し、ＣＭが終わるとまた元の放送レベル音量に戻す操作を強いられる煩雑さを伴う。
【考案の概要】
【考案が解決しようとする課題】
【０００５】  本考案は、通常のテレビに簡単な回路を付設するのみで放送レベル音量と、ＣＭレベル音量を平均化して、急に音量が上がらないようにしたテレビを提供する。
【課題を解決するための手段】
【０００６】  上記課題を満足させる本考案のテレビにおける主な技術構成は、次の（１）の通りである。
（１）、地上デジタルアンテナ及びＢＳ／１１０度ＣＲデジタルアンテナとデジタルボードと液晶ディスプレイとスピーカーと無線リモートコントロール器とからなり、前記デジタルボードは、映像／音声を分離するＤＥＭＵＸ回路とＭＰＥＧ−２デコードとメガピクセルグラフィックエンジンとデジタルフォーマットコンバータとを順次連結し、前記デジタルフォーマットコンバータからは液晶ディスプレイに映像信号を出力し且つスピーカーに音声信号を出力するテレビにおいて、
前記前記デジタルフォーマットコンバータに、音声信号のレベル音量を検出し、通常の放送レベル音量から、ＣＭレベル音量に変った際の当該ＣＭレベル音量が前記放送レベル音量を越えるとＣＭレベル音量を放送レベル音量に平均化する音量レベル平均化回路を付設したことを特徴とするテレビ。
【考案の効果】
【０００７】  本考案のテレビは、前記音量レベル平均化回路を付設したことにより、受信中の放送レベル音量と、ＣＭレベル音量を平均化して、急に音量が上がらないようにした優れた作用効果を呈するものである。
【図面の簡単な説明】
【０００８】
【図１】本考案のテレビの実施例を示すブロック線図である。
【考案を実施するための形態】
【０００９】  考案を実施するための形態を図１に示す実施例により詳細に説明する。
【実施例】
【００１０】  図１において、本例の基本回路は、地上デジタルアンテナ１０１及びＢＳ／１１０度ＣＲデジタルアンテナ１０２とデジタルボード２００と液晶ディスプレイ３００とスピーカー４００とリモートコントロール５００とからなる。
デジタルボード２００は、地上デジタルアンテナ１０１及びＢＳ／１１０度ＣＲデジタルアンテナ１０２からの信号を入力するフロントエンド回路２１０と、フロントエンド回路２１１からの信号を受けて映像／音声を分離して液晶ディスプレイ３００に映像表示しスピーカー４００に音声を出すデジタルＴＶ用システムＬＳＩ２２０からなる。
フロントエンド回路２１０は、地上デジタルチューナＷＤＴ２１１とその復調回路ＤＯＤＯＦＤＭ２１２及びＢＳ／１１０度ＣＲデジタルチューナ２１３とその復調回路ＱＰＳＫ２１４とからなる。
デジタルＴＶ用システムＬＳＩ２２０は、前記各復調回路２１２、２１４からの信号を入力して映像／音声を分離するＤＥＭＵＸ回路２２１とＭＰＥＧ−２デコード２２２とメガピクセルグラフィックエンジン２２３とデジタルフォーマットコンバータ２２４とを順次連結したものでありデジタルフォーマットコンバータ２２４からは液晶ディスプレイ３００に映像信号を出力し且つスピーカー４００に音声信号を出力する。【００１１】  前記デジタルフォーマットコンバータ２２４には音量レベル平均化回路２３０を付設する。
音量レベル平均化回路２３０  ２３０は、前記デジタルフォーマットコンバータにおける音声信号のから通常の放送レベル音量とＣＭレベル音量を検出して、通常の放送レベル音量から、ＣＭレベル音量に変った際の当該ＣＭレベル音量が前記放送レベル音量を越えるとＣＭレベル音量を放送レベル音量に平均化するのである。
これにより、前記スピーカー４００からは、放送レベル音量と同量のＣＭレベル音量が流れてリモーとコントロール５００による煩雑な音量調節操作が不要になる。
【産業上の利用可能性】
【００１２】  本考案は、前述の効果及び実施例に記載の通り優れた作用効果を呈して一般家庭におけるテレビの活用は勿論、テレビ業界及びＣＭ業界への寄与と発展に貢献すること多大なものがある。
【符号の説明】
【００１３】１０１：地上デジタルアンテナ
１０２：ＢＳ／１１０度ＣＲデジタルアンテナ
２００：デジタルボード
２１０：フロントエンド回路
２１１：地上デジタルチューナＷＤＴ
２１２：復調回路ＤＯＤＯＦＤＭ
２１３：ＢＳ／１１０度ＣＲデジタルチューナ
２１４：復調回路ＱＰＳＫ
２２０：デジタルＴＶ用システムＬＳＩ
２２１：ＤＥＭＵＸ回路
２２２：ＭＰＥＧ−２デコード
２２３：メガピクセルグラフィックエンジン
２２４：デジタルフォーマットコンバータ
２３０：音量レベル平均化回路
３００：液晶ディスプレイ
４００：スピーカー
５００：リモートコントロール
【図１】
0003229420.tif 000003